【手続補正書】
【提出日】令和2年4月23日(2020.4.23)
【手続補正１】
【補正対象書類名】明細書
【補正対象項目名】全文
【補正方法】変更
【補正の内容】
【発明の詳細な説明】
【発明の名称】電子装置、コンテンツ送受信制御方法
【技術分野】
【０００１】
本実施形態は、電子装置、コンテンツ送受信制御方法に関する。
【背景技術】
【０００２】
最近では、テレビジョン受信装置、録画装置などの電子装置は、スマートフォーン、タブレット、ＰＣなどの携帯端末と通信を行う機能が設けられている。この通信機能を利用して、携帯端末に電子装置に蓄積されているテレビ番組などのコンテンツをダウンロードする機能が開発されている。
【先行技術文献】
【特許文献】
【０００３】
【特許文献１】特開２０１３−１１５４９２号公報
【特許文献２】特開２００９−１４１５３１号公報
【発明の概要】
【発明が解決しようとする課題】
【０００４】
従来のシステムによると、電子装置から携帯端末へコンテンツをダウンロードするための操作や取扱いが煩雑であった。
【０００５】
そこで本実施形態は、ユーザ操作が簡単であり、容易に持出し用コンテンツをダウンロードすることができる電子装置、コンテンツ送受信制御方法を提供することを目的とする。
【課題を解決するための手段】
【０００６】
本願の一実施形態は、第１携帯端末から第１持出しコンテンツの指定を受け付け、前記第１携帯端末用の前記第１持出しコンテンツを準備する第１手段と、
複数の携帯端末のうちいずれの携帯端末が所定のエリアの通信圏内に入ったか否かを検出する第２手段と、
前記第２手段により前記第１携帯端末が前記通信圏内であることが検出され、前記第１持出しコンテンツが前記第１手段により前記準備が完了していた場合、前記第１持出しコンテンツを前記第１携帯端末に送信する第３手段と、
を備える。
【図面の簡単な説明】
【０００７】
【図１】図１は、本実施形態が適用された電子装置（例えばテレビジョン装置）の全体構成例を示す図である。
【図２】図２は、上記電子装置内のコンテンツ管理部が本システム特有の動作を行う場合の状況の一例を簡略的に示す図である。
【図３】図３は、本システムにおける携帯端末と通信制御部との間の動作のタイミングを示す説明図である。
【図４】図４は、例えば携帯端末Ａ１が、テレビジョン装置１００に向けて持出しコンテンツの予約を行う場合の動作例を示す図である。
【図５】図５は、コンテンツ管理部内のさらに他の機能例を示す図である。
【発明を実施するための形態】
【０００８】
以下、実施の形態について図面を参照して説明する。図１は本実施形態が適用された電子装置（例えばテレビジョン装置１００）の全体構成例を示す図である。テレビジョン装置１００は、例えばスクランブルされたデジタル地上波放送信号を受信する複数のチューナ、ＢＳ４Ｋ、ＢＳ８Ｋ、ＣＳ４Ｋなど複数種類の衛星放送を受信する複数のチューナを含むデジタルチューナ装置１０２を有する。
【０００９】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶再生装置１１１に入力される。またＴＳ処理部１２２に入力したＴＳの中で、制御情報を含むパケットは、制御部２００に入力されて処理される。
【００１０】
記憶再生装置１１１は、例えば、ハードディスクドライブ、光ディスク記録再生装置を含む。光ディスクにはデジタルバーサタイルディスク（ＤＶＤ）、ブルーレイ（登録商標）ディスク（ＢＤ）などが含まれる。
【００１１】
ＴＳ処理部１２２から制御部２００に送られるパケットは、放送番組を再生するのに必要な情報が記述された各種のテーブルを搬送する。テーブルは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報、プログラムマップテーブルＰＭＴ（Program Map Table)等を含む。
【００１２】
パケットに含まれる画像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ（登録商標）方式、ＭＰＥＧ方式などでエンコードされている。
【００１３】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１４】
ＴＳ処理部１２２で分離されたパケットの中で画像データを含むパケットは、画像デコーダ１３１に入力され、画像デコーダ１３１では、符号化方式に応じた復号化が実施される。画像デコーダ１３１でデコードされた画像データは、画像データ処理部１３２で、同期処理、輝度調整、色調整などが施される。画像データ処理部１３２の出力は、画像出力部１３３に供給される。画像出力部１３３は、制御部２００からのデータ、図形、番組表などをメイン画像信号に多重することができる。また画像出力部１３３は、出力画像信号に対して表示器１３４に応じたスケール、解像度、ライン数、アスペクト比などを設定して、表示器１３４に向けて出力する。
【００１５】
なお、有料番組のオーディオパケット、画像パケットが暗号化されている場合もある。
この場合、鍵情報を用いて暗号化を解くための処理系統もあるがここでは省略している。
【００１６】
制御部２００は、中央演算処理ユニット（ＣＰＵ）２０１、操作コマンド処理部２０２、通信制御部２０３、デバイス管理部２０４、表示処理部２１２、メモリ２１１などを含む。さらにＥＰＧ(Electric program guide)データ取り込み部を含むがここでは示していない。
【００１７】
制御部２００は、コンテンツ管理部２５１を含む、このコンテンツ管理部２５１は、録画制御部としてのタイムシフト録画機能を持つ、また予約した番組を記録再生装置１１１の媒体に録画する機能、さらには、記録再生装置１１１で再生した例えばハードディスク、ＤＶＤ、ブルーレイディスクなどから再生したコンテンツを別の媒体（ハードディスク、ＤＶＤ、ブルーレイディスク）に記録する機能も備える。
【００１８】
また、タイムシフト録画機能が動作するときは、コンテンツ管理部２５１は、記録再生装置１１１を制御し、放送される複数のチャンネルの番組を、複数日（例えば１週間乃至２週間）に渡って記録再生装置１１１に記録することができる。したがって、コンテンツ管理部２５１には、録画したコンテンツや番組コンテンツをテーブル上に配列した、録画リストデータも格納されている。
【００１９】
さらに上記コンテンツ管理部２５１は、後で詳しく説明するように、携帯端末７００と連携して持出しコンテンツの管理も行うことができる。
【００２０】
ＣＰＵ２０１は、制御部２００の全体の動作シーケンスの調整を行っている。コマンド処理部２０２は、外部から入力する操作コマンドを解析し、コマンドに応じた動作をテレビジョン装置１００に反映させることができる。デバイス管理部２０４は、制御部２００に対して操作信号を与える携帯端末７００、リモートコントローラ４００などのデバイス識別データを把握し、管理することができる。携帯端末７００は、スマートフォーン、タブレットＰＣ，パーソナルコンピュータ（ＰＣ）などを含む。
【００２１】
表示処理部２１２は、画像出力部１３３を介して表示器１３４に表示される画像信号を全般的に制御することができる。また表示処理部２１２は、画像信号の解像度、表示サイズ、表示エリアなどの調整処理を行うこともできる。また、ＥＰＧデータを用いて作成した番組表の画像信号や、操作信号に応じて制御部２００内で作成されたメニュー画像信号などを画像出力部１３３に供給することができる。
【００２２】
メモリ２１１は、制御部２００内で保存する各種のデータ、アプリケーションなどを保存することができる。またメモリ２１１は、不揮発性メモリを含み、通信のためのアドレスデータ、機器固有情報（ＴＶ固有ＩＤ）などを格納している。
【００２３】
通信制御部２０３は、外部との通信を行い、操作コマンド、データ、コンテンツ、などを取り込むことができる。取り込まれたコンテンツ及びデータは、例えば記憶再生装置１１１、或いはメモリ２１１に格納されることができる。通信制御部２０３は、テレビジョン装置１００から外部に向けて、データ、コンテンツ、などを送信することができる。
【００２４】
また、通信制御部２０３は、無線通信送受信部（通信器と称しても良い）１１３、有線通信送受信部１１２及び、ＬＡＮ送受信部１１５と接続されている。有線通信送受信部（通信器と称しても良い）１１２は、インターネットを介して、遠隔サーバ、或いはホームサーバとの間でデータの送受信を行うことができる。
【００２５】
無線通信送受信部１１３は、携帯端末７００との間でデータの送受信を行うことができ、近距離通信用である。
【００２６】
ＬＡＮ送受信部１１５は、例えば家庭内の他のテレビジョン装置、記録再生装置、セットトップボックス、家庭内サーバと接続されている。また、テレビジョン装置１００は、リモートコントローラ４００からの操作信号を、赤外線受信部１１４を介して受け取ることもできる。
【００２７】
携帯端末７００は、テレビジョン装置１００をリモートコントロールすることができる。携帯端末７００は、図示しない基地局、インターネットなどを介してサーバをアクセスすることができる。携帯端末７００は、サーバが提供するコンテンツは勿論のこと、各種のアプリケーション、ゲームソフトなどをダウンロードし、無線通信送受信部１１３を介して、制御部２００に転送することも可能である。
【００２８】
また携帯端末７００は、コンテンツを取得するための情報（例えばウェブサーバのアドレス、メールアドレス、ネットワークアドレスなど）を、無線通信送受信部１１３を介して、制御部２００に転送することが可能である。
【００２９】
携帯端末７００からコンテンツ、アプリケーション、或いはゲームソフトが転送されてくるときは、制御部２００の通信制御部２０３が動作する。通信制御部２０３は、受け取ったコンテンツをメモリ２１１に格納する。コンテンツは、操作コマンドに応じて、或いは自動的に記録再生装置１１１に格納されてもよい。記録再生装置１１１は、受け取ったコンテンツを例えばハードディスクに記録させることができる。ハードディスクにおいては、コンテンツはコンテンツファイルとして管理される。
【００３０】
さらに携帯端末７００は、コンテンツ管理部２５１が用意しているコンテンツを、自身のメモリに取り込む（ダウンロードする）ことができる。
【００３１】
表示用のメニュー画像信号、番組表画像信号、録画リスト信号などは、表示処理部２１２に格納及びまたは管理されている。メニューの表示、番組表の表示が行われるときは、メニュー画面データ、番組表画像信号が、表示処理部２１２の制御に基づき、データ格納部（メモリ或いはハードディスク）から読み出され、画像出力部１３３に供給される。これにより、メニュー画面や番組表画面が表示器１３４に表示される。
【００３２】
表示用のメニュー画像信号、番組表画像信号などは、携帯端末７００に送信されることもできる。携帯端末７００がメニュー画像信号、番組表画像信号など要求した場合、表示処理部２１２は、メニュー画像信号、番組表画像信号を携帯端末７００へ送信することができる。
【００３３】
携帯端末７００は、メニュー画像信号、番組表画像信号をタッチ式パネルの画面に表示することができ、ユーザは、タッチ（或いはポイント）式パネルの画面に表示された操作ボタンに触れることにより、テレビジョン装置１００に対して動作指令信号を与えることができる。
【００３４】
携帯端末７００は、例えばテレビジョン装置１００に対して、持出しコンテンツの指定情報を送ることができる。すると、テレビジョン装置１００のコンテンツ管理部２５１は、持出しコンテンツの指定情報が送られてきた場合、対応する番組の前記コンテンツを、携帯端末７００の性能（容量、解像度など）に合わせて変換し、コンテンツ管理部２５１内の準備部に格納して準備する手段を備える。
【００３５】
そして、コンテンツ管理部２５１は、通信制御部２０３と相まって、携帯端末７００が所定のエリアの通信圏内（つまり無線通信送受信部１１３の通信圏内）に入った状態を検出する手段を備える。そして携帯端末７００が前記通信圏内にあることを検出した場合、前記持出しコンテンツを携帯端末７００に送信する手段を備える。
【００３６】
また上記コンテンツ管理部２５１は、上記携帯端末７００の他の第２の携帯端末に対しても、上記した持出しコンテンツを送信することができる。勿論この場合、第２の携帯端末が、持出しコンテンツを指定して、そのコンテンツの持出し予約を行っている場合である。複数の携帯端末は、デバイス管理部２０４に登録されている。
【００３７】
図２は、上記コンテンツ管理部２５１が本システム特有の動作を行う場合の状況の一例を簡略図で示している。
【００３８】
今、家庭内ＨＯＭにテレビジョン装置１００が設定されているものとする。なおこの場合、テレビジョン装置１００に限定されるものではなく、本実施形態を採用している録画装置であってもよい。
【００３９】
また今、携帯端末７００Ａがテレビジョン装置１００のコンテンツ管理部２５１に対して持出しコンテンツの指定情報を送信し、対応する番組のコンテンツＣ１が、コンテンツ管理部２５１の準備部に準備され、送信可能な状態に準備が完了しているものとする。
【００４０】
その後、携帯端末Ａ７００Ａが、無線通信送受信部１１３の通信圏ＷＡ内（例えばWi-Fi（登録商標）による通信圏内）に入ってきたとする。
すると、このことがコンテンツ管理部２５１により検出され、Wi-Fi端末（アクセスポイントと称してもよい）を介して携帯端末Ａ７００Ａに対して、持出し予約していた持出しコンテンツが自動的にダウンロードされる。
【００４１】
また、携帯端末Ｂ７００Ｂが、他の持出しコンテンツの予約を行っていたとする。しかし、携帯端末Ｂ７００Ｂが無線通信送受信部１１３の通信圏ＷＡ（例えばWi-Fi（登録商標）による通信圏内）の外にいた場合は、携帯端末Ｂ７００Ｂに対する持出しコンテンツの自動ダウンロードは実行されない。
【００４２】
図３は、上記した動作のタイミングを示す説明図である。今、携帯端末Ａ７００Ａが通信圏内、携帯端末Ｂ７００Ｂが通信圏外にいるものとする。通信制御部２０３の制御のもとで、アクセスポイントＷを介して通信圏内の電子装置に対して呼びかけが行われる（ｔ１）。この呼びかけに対して携帯端末Ａ７００Ａが応答すると（ｔ２）通信制御部２０３と携帯端末Ａ７００Ａとの間で相互認証が行われる（ｔ３）。
【００４３】
相互認証の結果、携帯端末Ａ７００Ａが予約している持出しコンテンツが存在した場合、コンテンツ管理部２５１の動作も伴って、持出しコンテンツのダウンロードが実行される（ｔ４、ｔ５）。すると携帯端末Ａ７００Ａは、送られてきた持出しコンテンツをメモリに保存する（ｔ６）。
【００４４】
一方、通信圏外に存在した携帯端末Ｂ７００Ｂが通信圏内に移動してきた場合、今度は、通信制御部２０３と携帯端末Ｂ７００Ｂとの間で、通信が開始され（ｔ１１、ｔ１２）、相互認証が行われる（ｔ１３）。相互認証の結果、携帯端末Ｂ７００Ｂが予約している持出しコンテンツが存在した場合、コンテンツ管理部２５１の動作も伴って、持出しコンテンツのダウンロードが実行される（ｔ１４、ｔ１５）。すると携帯端末Ｂ７００Ｂは、送られてきた持出しコンテンツをメモリに保存する（ｔ１６）。
【００４５】
上記したように、本実施形態は、コンテンツを受信及び又は記録する装置のコンテンツ送受信制御を行う。つまり第１携帯端末から第１持出しコンテンツの指定を受け付け、前記第１携帯端末用の前記第１持出しコンテンツを準備する。また複数の携帯端末のうちいずれの携帯端末が所定のエリアの通信圏内に入ったか否かを検出することができる。そして、前記第１携帯端末が前記通信圏内であることを検出し前記準備が完了していた場合、前記第１持出しコンテンツを前記第１携帯端末に自動的に送信するのである。
【００４６】
図４は、例えば携帯端末Ａ１が、テレビジョン装置１００に向けて持出しコンテンツの予約を行う場合の動作例を示している。
【００４７】
コンテンツ管理部２５１は、携帯端末Ａ１からコンテンツＣ１の持出し予約が入ったことを検出する（ＳＡ１)。この持出し予約は、例えば携帯端末Ａ１に放送番組の番組リスト、或いは録画番組の番組リストなどが送られて、ユーザは、この番組リストを見て、例えば番組名をタッチ操作などで指定して持出し予約を行うことができる。
【００４８】
携帯端末Ａ１からコンテンツＣ１の持出し予約が入ると、コンテンツ管理部２５１は、当該コンテンツＣ１は、未来の放送番組で送られてくるコンテンツＣ１であるかどうかの判断を行う（ＳＡ２）。未来の放送番組であった場合、コンテンツ管理部２５１は、コンテンツＣ１を含む番組の受信予約を行う。正確には、前記番組のチャンネルの受信予約を行う。携帯端末Ａ１は、持出し予約と同時に録画予約を行うことも可能である。携帯端末Ａ１が、コンテンツＣ１を含む番組の持出し予約とともに録画予約を行った場合は、コンテンツ管理部２５１は、当該番組の録画予約も行う。同様に、視聴予約を行うことも可能である。
【００４９】
この後、コンテンツ管理部２５１は、携帯端末Ａ１に、持出し予約及び又は録画予約を行ったことを通知する（ＳＡ４）。
【００５０】
上記の処理に対して、ＳＡ２、ＳＡ５において、コンテンツＣ１の番組がすでに記録再生装置１１１に録画されている番組であることが判明した場合、次のような処理を実行する。つまり、当該番組を再生してコンテンツＣ１を持出し用に変換し、持出し用コンテンツＣ１として持出し用メモリに準備し、該準備が完了した状態とする。
【００５１】
持出し用コンテンツＣ１は、携帯端末Ａ１の表示方式、表示解像度、メモリ容量などに適合するように、変換され準備される。そして、携帯端末Ａ１が先ほど説明した通信圏内にいるかどうかを判定し（ＳＡ８）、通信圏内であれば、当該持出し用コンテンツＣ１を当該携帯端末Ａ１にダウンロードする（ＳＡ９）。携帯端末Ａ１が先ほど説明した通信圏内で検出されなかった場合は、携帯端末Ａ１が通信圏内に入ることを検出するための待機状態となる（ＳＡ１０）。
【００５２】
先のＳＡ５において、コンテンツＣ１の番組が記録再生装置１１１に録画されておらず、すでにコンテンツＣ１の番組が放送済であった場合は、つぎのような処理が実行される。即ち、コンテンツＣ１の番組は、既に放送済であり、かつ録画もされていないことを携帯端末Ａ１に向けて通知する。ただし、ＥＰＧから判断して再放送がある場合は、再放送番組によるコンテンツＣ１を持出し予約したことを携帯端末Ａ１に通知するとともに、その準備が何日に整うかを通知することが可能である。
【００５３】
図５は、コンテンツ管理部２５１内のさらに他の機能例を示す図である。例えば、番組Ｄのコンテンツに関して持出し予約が行われ、番組Ｄのコンテンツの持出しが行われた場合、その持出し数は、持出し数管理部２５１ｂにおいて、管理されている。
【００５４】
そして番組Ｄのコンテンツの持出し数は、番組Ｄのダビング回数カウント部２５１ａに入力される。ダビング回数カウント部２５１ａは、番組Ｄのダビング数を管理し、ダビング１０のルールに従って、１回の持出しがあれば、残りのダビング数を１回分減らすように管理している。
【００５５】
所定の数のダビング数を超えて、持出しの予約が行われた場合、コンテンツ管理部２５１は、持出し予約をした携帯端末に対して警告を通知することができる。
【００５６】
この番組Ｄのダビング回数カウント部２５１ａは、番組Ｄの持出しが必要以上に持ち出される場合は、番組Ｄの持出し制限部２５１ｃを制御し、番組Ｄの持出しを禁止する。この禁止処理は、番組Ｄのコンテンツの持出し予約が行われた際に実行されて、携帯端末にその通知が行われてもよい。
【００５７】
さらに追加として、番組Ｄの送信禁止携帯端末を登録する指定部２５１ｄが設けられてもよい。例えば番組Ｄが子供に見せたくない番組であった場合、子供の携帯端末Ｃ７００Ｃの識別コードをこの番組Ｄの送信禁止携帯端末として指定することができる。
【００５８】
なお上記の持出しコンテンツ数の制限や管理は、番組Ｄについて行われる例を説明したが、他の番組についてもそれぞれ管理されている、つまり番組毎に持出しコンテンツ数や制限の管理がなされている。
【００５９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００６０】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００６１】
１００・・・テレビジョン装置、１０２・・・デジタルチューナ装置、１１１・・・記録再生装置、１２２・・・ＴＳ処理部、１２３・・・オーディオデコーダ、１２４・・・オーディオデータ処理部、１２５・・・オーディオ出力部、１２６・・・スピーカ、１３１・・・画像デコーダ、１３２・・・画像データ処理部、１３３・・・画像出力部、１３４・・・表示器、２００・・・制御部、２０３・・・通信制御部、１１３・・・無線通信送受信部、２５１・・・コンテンツ管理部、４００・・・リモートコントローラ、７００、７００Ａ、７００Ｂ、７００Ｃ・・・携帯端末。